(57)【要約】【課題】  中継局を介して受信機と通信を行う送信機における、自局側及び相手局側を特定するための識別情報の入力を簡易にすることである。【解決手段】  通信機３０は、自局側識別情報及び相手局側識別情報を入力するためのモニタ１８及び操作部１７と、通信フレームを生成する処理を行うコントローラ７とを備えている。コントローラ７は、入力された自局側識別情報及び相手局側識別情報を挿入して通信フレームを生成する。  自局側識別情報は通信機３０を特定する送信機識別情報と通信機３０側の中継局を特定する自局側中継局識別情報を含む。相手局側識別情報は、通信機３０の相手方となる受信機を特定するための受信機識別情報及び受信機側の中継局を特定するための相手局側中継局識別情報を含む。  コントローラ７は、相手局側中継局識別情報が入力されない場合、相手局の中継局を特定する識別情報として、自局側中継局識別情報を挿入して通信フレームを生成する。【選択図】  図１
2006157647.tif 000002
【特許請求の範囲】
【請求項１】
複数の中継局を介して受信機と通信を行う送信機であって、
自局側である送信機側を特定するための自局側識別情報と相手局側である受信機側を特定するための相手局側識別情報とを入力するための識別情報入力手段と、
前記受信機に送信する通信フレームを生成する通信フレーム生成処理手段とを備え、
前記通信フレーム生成処理手段は、前記識別情報入力手段により入力された自局側識別情報及び相手局側識別情報を挿入して通信フレームを生成し、
前記自局側識別情報が、自局を特定するための送信機識別情報と自局側の中継局を特定するための自局側中継局識別情報とを含み、
前記相手局側識別情報は、相手局を特定するための受信機識別情報と相手局側の中継局を特定するための相手局側中継局識別情報とを含み、
前記通信フレーム生成処理手段は、前記識別情報入力手段により相手局側中継局識別情報が入力されなかった場合、相手局側中継局識別情報として、自局側中継局識別情報と同一の識別情報を通信フレームに挿入することを特徴とする送信機。
【請求項２】
前記識別情報入力手段は、操作キーによる入力と、該操作キーにより入力された内容を表示画面に表示する画面表示とによって、前記識別情報を入力するように構成された、請求項１に記載の送信機。
【請求項３】
複数の中継局を介して受信機と通信を行う送信機における通信フレームの生成方法であって、
自局側である送信機側を特定するための自局側識別情報及び相手局側である受信機側を特定するための相手局側識別情報の入力を受け付ける識別情報入力受付工程と、
前記識別情報入力受付工程により受け付けた自局側識別情報及び相手局側識別情報を挿入して通信フレームを生成する通信フレーム生成工程とを備え、
前記自局側識別情報が、自局たる送信機を特定するための送信機識別情報と自局側の中継局を特定するための自局側中継局識別情報とを含み、
前記相手局側識別情報が、相手局たる受信機を特定するための受信機識別情報と相手局側の中継局を特定するための相手局側中継局識別情報とを含み、
前記通信フレーム生成工程は、前記識別情報入力受付工程において相手局側中継局識別情報を受け付けなかった場合、相手局側中継局識別情報として、自局側中継局識別情報と同一の識別情報を通信フレームに挿入することを特徴とする通信フレームの生成方法。
【発明の詳細な説明】
【技術分野】
【０００１】
本発明は、送信機、及び通信フレームの生成方法に関する。
【背景技術】
【０００２】
無線通信システムには、複数の中継局を介して、通信機間で通信を行うようにされたものがある。例えば、本願出願人の未公開の先行出願である特願２００４−２８９４３１号に記載されるシステムがある。この無線通信システムでは、送信側の通信機と受信側の通信機の各々についての中継局を介して通信が行われる。
【発明の開示】
【発明が解決しようとする課題】
【０００３】
前記無線通信システムでは、通信機を使用するユーザは、自機（自局）を特定する識別情報及び相手機（相手局）を特定する識別情報に加え、中継局を特定する識別情報も入力しなければならない。従って、通信機を使用するユーザは、相手方の通信機との通信を開始するための入力操作について、多数の項目からなる入力を行う必要があり、煩雑な操作を行わなければならず、ユーザにとって非常に手間のかかるものであった。
【０００４】
さらに、多数の項目の入力をユーザ自らの操作で入力することによる入力ミスも生じやすい。例えば、中継先の識別情報の入力にミスがあると、相手機を特定する識別情報を正しく入力した場合でも通信が確立せず、相手機と通信ができないといった問題も生ずる。
【０００５】
そこで、本発明は、中継局を介して通信を行う無線通信システムにおいて、自局側及び相手局側を特定するための識別情報の入力を簡易にできる送信機、及び該送信機における通信フレームの生成方法を提供することを目的とする。
【課題を解決するための手段】
【０００６】
上記課題を解決するため、本発明の第１の観点に係る送信機は、複数の中継局を介して受信機と通信を行う送信機であって、
自局側である送信機側を特定するための自局側識別情報と相手局側である受信機側を特定するための相手局側識別情報とを入力するための識別情報入力手段と、
前記受信機に送信する通信フレームを生成する通信フレーム生成処理手段とを備え、
前記通信フレーム生成処理手段は、前記識別情報入力手段により入力された自局側識別情報及び相手局側識別情報を挿入して通信フレームを生成し、
前記自局側識別情報が、自局を特定するための送信機識別情報と自局側の中継局を特定するための自局側中継局識別情報とを含み、
前記相手局側識別情報は、相手局を特定するための受信機識別情報と相手局側の中継局を特定するための相手局側中継局識別情報とを含み、
前記通信フレーム生成処理手段は、前記識別情報入力手段により相手局側中継局識別情報が入力されなかった場合、相手局側中継局識別情報として、自局側中継局識別情報と同一の識別情報を通信フレームに挿入することを特徴としている。
【０００７】
本発明の送信機によると、同じ中継局に属する受信機と通信を行う場合、即ち自局側中継局と相手局側中継局が同じである場合、前記識別情報入力手段によって入力するべき前記自局側識別情報及び相手局側識別情報のうち、相手局側中継局識別情報の入力を省略することができる。
【０００８】
そして、前記通信フレームを生成する処理を行うにあたり、入力を省略された相手局側中継局識別情報は、自局側中継局識別情報と同一であるとして処理される。そして、送信機が送信する通信フレームには、相手局の中継局を特定するための識別情報として、自局側中継局識別情報と同一の識別情報が挿入される。
【０００９】
このように、本発明の送信機によると、同じ中継局に属する受信機と通信を行う場合には、受信機と通信を開始する際に入力するべき前記自局側識別情報及び相手局側識別情報のうち、相手局側中継局識別情報の入力を省略することができる。これにより、識別情報入力手段による識別情報の入力を簡易にすることができる。
【００１０】
また、前記識別情報入力手段を、操作キーによる入力と、該操作キーにより入力された内容を表示画面に表示する画面表示とによって、前記識別情報を入力するように構成することができる。
【００１１】
この発明によると、前記自局側識別情報及び相手局側識別情報を含む識別情報の入力を、操作キーを操作し、その操作を表示画面で確認しつつ行うことができる。これにより、前記識別情報の入力を確実かつ簡易にすることができる。
【００１２】
また、本発明の第２の観点に係る通信フレームの生成方法は、複数の中継局を介して受信機と通信を行う送信機における通信フレームの生成方法であって、
自局側である送信機側を特定するための自局側識別情報及び相手局側である受信機側を特定するための相手局側識別情報の入力を受け付ける識別情報入力受付工程と、
前記識別情報入力受付工程により受け付けた自局側識別情報及び相手局側識別情報を挿入して通信フレームを生成する通信フレーム生成工程とを備え、
前記自局側識別情報が、自局たる送信機を特定するための送信機識別情報と自局側の中継局を特定するための自局側中継局識別情報とを含み、
前記相手局側識別情報が、相手局たる受信機を特定するための受信機識別情報と相手局側の中継局を特定するための相手局側中継局識別情報とを含み、
前記通信フレーム生成工程は、前記識別情報入力受付工程において相手局側中継局識別情報を受け付けなかった場合、相手局側中継局識別情報として、自局側中継局識別情報と同一の識別情報を通信フレームに挿入することを特徴としている。
【００１３】
本発明によると、送信機に相手局側識別情報の一部である相手局側中継局が入力されず、前記識別情報入力受付工程において相手局側中継局識別情報を受け付けなかった場合でも、送信機は相手局側中継局識別情報を以下のように処理し、通信フレームを生成する。
【００１４】
即ち、送信機は、相手局側中継局識別情報は自局側中継局識別情報と同一であるとして処理し、通信フレームを生成するにあたり、相手局の中継局を特定する識別情報として自局側中継局識別情報を挿入する。
【００１５】
これにより、本発明によると、送信機により通信フレームを生成するにあたり、同じ中継局に属する受信機と通信を行う場合には、通信を開始する場合に入力するべき相手局側中継局識別情報の入力を省略することができる。これにより、送信機により通信を開始する場合に入力するべき識別情報の入力を簡易にでき、識別情報の入力を受け付ける識別情報入力受付工程の処理を簡易にすることもできる。
【００１６】
また、前記識別情報入力手段を、操作キーによる入力と、該操作キーにより入力された内容を表示画面に表示する画面表示とによって、前記識別情報を入力するように構成することができる。
【００１７】
この発明によると、前記自局側識別情報及び相手局側識別情報を含む識別情報の入力を、操作キーを操作し、その操作を表示画面で確認しつつ行うことができる。これにより、前記識別情報の入力を確実かつ簡易にすることができる。
【発明の効果】
【００１８】
本発明によると、送信機が同じ中継局に属する受信機と通信を行う場合、通信を開始する際に入力するべき識別情報のうち、相手局たる受信機の中継局を特定するための相手局側中継局識別情報の入力を省略することができる。
【００１９】
これにより、通信を開始する際に入力するべき識別情報の入力を簡易にすることができる。そして、相手局側中継局識別情報を入力する必要がないので、この識別情報の入力についての入力ミスを防ぐことができる。また、送信機が通信フレームを生成する処理を行うにあたり、識別情報の処理を簡易にすることもできる。
【００２０】
さらに、相手局側中継局識別情報の入力を省略すると自動的に相手局側中継局識別情報として自局側中継局識別情報と同一の識別情報を通信フレームに挿入するので、相手局側中継局識別情報の入力ミスに伴い相手局と通信できないという問題を解消することもできる。
【発明を実施するための最良の形態】
【００２１】
本発明の実施の形態について、図１乃至図５により説明する。図１は、本発明の一実施形態の送信機を含んで構成される通信機３０のブロック図である。通信機３０は、信号の送信機能と受信機能を備えて構成される。この通信機３０の送信機能を実行する部分により、本発明の一実施形態である送信機を実施することができる。
【００２２】
通信機３０は、送信機として機能する場合、通信機３０を使用するユーザの通話音に基づく音声信号、及びデータ通信用のデータ信号を受信機に向かって送信する。一方、通信機３０は、受信機として機能する場合、送信機より送信された通話音に基づく音声信号を受信し、また送信機より送信されたデータ通信用のデータ信号を受信する。
【００２３】
通信機３０は、図１に示すように、アンテナ１と送受信切替部２と送信部３と受信部４と音声Ａ／Ｄ・Ｄ／Ａ変換部５とインターフェース部６とコントローラ７と操作部１７とモニタ１８と増幅器８とマイク９とスピーカ１０とを備えている。
【００２４】
操作部１７は、通信機３０の動作についての条件情報を入力するための入力手段にあたる。操作部１７には各種の操作キーが設けられている。即ち、ユーザが、通信機３０の操作部１７の操作キーを操作して動作条件を入力することにより、その入力に基づく動作を通信機３０に行わせることができる。
【００２５】
操作部１７に対する操作の内容は、コントローラ７により検出される。即ち、コントローラ７は、操作された操作キーの種類や、操作キーに対する操作の内容を検出する。そして、操作キーによって入力された内容を判別する。そして、コントローラ７は、操作部１７により入力された内容に応じた動作を行うように、通信機３０を制御する。
【００２６】
なお、操作キーの操作の内容によっては、その操作によって入力された内容がモニタ１８のモニタ画面１８ａに表示される。これにより、モニタ画面１８ａの表示を確認しつつ、操作キーによる入力を行うことができる。
【００２７】
後に説明するように、操作部１７により、自局である通信機３０を特定するための自局側識別情報や相手局である受信機を特定するための相手局側識別情報を入力する場合、操作部１７により入力した各種の識別情報がモニタ画面１８ａに表示される。
【００２８】
また、モニタ画面１８ａには、ユーザに対する通信機３０の動作状態の報知や、ユーザに対する操作部１７による入力を促すメッセージ等が表示される。
【００２９】
まず、通信機３０が、送信機として機能する場合のブロックについて説明する。通信機３０のユーザによる通話音はマイク９により音声信号に変換され、この音声信号は増幅器８に入力される。増幅器８に入力された音声信号は、増幅器８により増幅された後、音声Ａ／Ｄ・Ｄ／Ａ変換部５に出力される。
【００３０】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。
【００３１】
通信機３０が送信機として機能する場合、音声Ａ／Ｄ・Ｄ／Ａ変換部５は、アナログの音声信号をディジタルの音声信号に変換するディジタル変換機能を有する。また、音声Ａ／Ｄ・Ｄ／Ａ変換部５は、通信機３０が送信機として機能する場合、ディジタル信号とされた音声信号を圧縮する圧縮機能を有する。
【００３２】
音声Ａ／Ｄ・Ｄ／Ａ変換部５は、増幅器８より入力されたアナログの音声信号をディジタルの音声信号に変換する。そして、音声Ａ／Ｄ・Ｄ／Ａ変換部５は、このディジタル信号とした音声信号をさらに圧縮し、圧縮した音声信号を送信部３に出力する。
【００３３】
インターフェース部６に接続される外部入出力端子１２にはデータ通信用のパーソナルコンピュータ（以下、「パソコン」という）１５が接続されており、インターフェース部６には、外部入出力端子１２を介してパソコン１５よりデータ通信用のデータ信号が入力される。インターフェース部６は、入力されたデータ信号を送信部３に出力する。
【００３４】
送信部３は、入力された信号を変調する変調機能を備える。この通信機３０の例では、送信部３が信号を変調する方式として、ＧＭＳＫ（Gaussian filtered Minimum Shift Keying）変調方式が採用される。ＧＭＳＫ変調方式は、ディジタル変調方式の一つであり、２値の入力信号をいったんガウスフィルタと呼ばれるフィルタを通し、その後周波数変調を行うことにより、狭帯域化を図った変調方式である。送信部３は、入力された音声信号及びデータ信号を、このＧＭＳＫ変調方式により変調する処理を行う。
【００３５】
送信部３は、前記変調する処理を行った信号を、送受信切替部２に出力する。送受信切替部２は、通信機３０が送信機として機能する場合、送信部３より入力された信号をアンテナ１に導く回路が形成される。そして、送受信切替部２に入力された信号は、アンテナ１に出力され、アンテナ１より通信機３０の相手方となる受信機へ送信される。
【００３６】
コントローラ７は、通信機３０の動作の制御を行う。コントローラ７は、ＣＰＵ（中央処理装置）、ＲＯＭ（読み出し専用メモリ）、ＲＡＭ（読み書き可能メモリ）を備えて構成される。
【００３７】
コントローラ７が通信機３０の動作を制御するための制御プログラムは、ＲＯＭに格納されている。そして、通信機３０が送信機として用いられる場合、コントローラ７は、通信機３０が送信機として機能するよう制御する。また、インターフェース部６がデータ通信用のデータを送信部３に出力する動作は、コントローラ７の制御の下に行われる。
【００３８】
また、コントローラ７のＲＡＭには、通信機３０が送信する通信フレームＦを生成するためのデータが記憶される。例えば、ＲＡＭは、通信フレームＦのヘッダ部Ｈを構成するためのデータである、自局側識別情報及び相手局側識別情報を記憶する。
【００３９】
自局側識別情報は、送信機である通信機３０を特定するための送信機識別情報と、通信機３０の属する中継局を特定するための自局側中継局識別情報を含んでいる。相手局側識別情報は、通信機３０の相手方となる受信機を特定するための受信機特定情報と、この受信機の属する中継局を特定するための相手局側中継局識別情報を含んでいる。
【００４０】
ユーザが操作部１７を操作し自局側識別情報及び相手局側識別情報を入力すると、入力された自局側識別情報及び相手局側識別情報は、コントローラ７に入力され、ＲＡＭに記憶される。ユーザが相手局側識別情報を入力するにあたり、相手局側中継局識別情報の入力を省略した場合、自局側中継局識別情報と同一のデータが相手局側中継局識別情報としてＲＡＭに記憶される。
【００４１】
また、コントローラ７には、例えばＵＳＢ（Universal Serial Bus（ユニバーサルシリアルバス））インターフェースが接続されており、ＵＳＢインターフェースに接続される外部機器のデータがコントローラ７に入力される。ＵＳＢインターフェースに外部機器としてパソコンを接続し、このパソコンにより通信機３０を制御することもできる。
【００４２】
ここで、通信機３０が送信する信号の通信フレームについて、図２も参酌しつつ説明する。図２は、通信機３０が送信する信号の通信フレームＦの構成の概略を示している。
【００４３】
図２に示すように、通信フレームＦは、先頭のヘッダ部Ｈとこれに続くデータ部Ｄから構成される。ヘッダ部Ｈは、通信で相手方の受信機と接続するために使用される部分であり、受信機との通信を確立するための情報信号を含んでいる。
【００４４】
ヘッダ部Ｈに含まれるビット同期は、入力信号の同期を取るためのビット同期信号である。ヘッダ部Ｈに含まれるフレーム同期は、これより信号であることを表すフレーム同期信号である。
【００４５】
ヘッダ部Ｈに含まれる識別情報（ＩＤ）部は自局側である通信機３０側を特定するための自局側識別情報のデータ、相手局側である受信機側を特定するための相手局側識別情報のデータが挿入される。
【００４６】
図２に示される送り先中継局ＩＤは、相手局（受信機）が属する中継局を特定するための相手局側中継局識別情報である。図２に示される送り元中継局ＩＤは、自局が属する中継局を特定するための自局側中継局識別情報である。
【００４７】
また、相手局ＩＤは相手方の受信機を特定するための受信機識別情報であり、自局ＩＤは自局（通信機３０）を特定するための送信機識別情報である。Ｐ_ＦＣＳは、ヘッダ部Ｈが有効かどうかのフレームチェックシーケンスを表す。
【００４８】
データ部Ｄは、音声フレームとデータフレームとが交互に繰り返されて構成されている。音声フレームは、音声通信用の音声信号が挿入されるフレームであり、音声Ａ／Ｄ・Ｄ／Ａ変換部５より入力された音声データが挿入される。データフレームは、データ通信用のデータ信号が挿入されるフレームであり、インターフェース部６より入力されたデータが挿入される。
【００４９】
以上に説明した通信フレームＦのうち、ヘッダ部Ｈを構成するデータ又は信号は、コントローラ７より送信部３に出力される。また、データ部Ｄを構成するデータ又は信号は、コントローラ７の制御の下、音声Ａ／Ｄ・Ｄ／Ａ変換部５又はインターフェース部６より送信部３に出力される。
【００５０】
次に、通信機３０が受信機として機能する場合のブロックについて説明する。受信機としての通信機３０には、相手方の送信機より通話音の音声信号とデータ通信用のデータ信号とが送信される。通信機３０に送信される信号は、図２により説明した通信フレームＦを構成している。
【００５１】
アンテナ１は、通信機３０に送信された無線信号を受信する。アンテナ１が受信した無線信号は、送受信切替部２に入力される。送受信切替部２は、通信機３０が受信機として機能する場合、アンテナ１が受信した信号を受信部４に導く回路が形成される。
【００５２】
受信部４は、特定の通信チャンネルの信号を選択して受信するチューニング機能を備えている。受信部４には、受信する無線信号の周波数帯域が設定される。そして、受信部４に設定された周波数のチャンネルの受信信号がアンテナ１より送受信切替部２を通って受信部４に入力される。
【００５３】
また、受信部４は、入力された受信信号を復調する復調機能を備えている。この通信機３０の例では、受信部４は、ＧＭＳＫ復調を行う。受信部４が復調した受信信号の通信フレームＦに含まれるヘッダ部Ｈのデータはコントローラ７に入力される。
【００５４】
コントローラ７は、ヘッダ部Ｈの情報により受信信号が通信機３０宛てに送信されたか否か判断する。コントローラ７は、受信信号が通信機３０宛てに送信されたと判断しなかった場合、ヘッダ部Ｈのデータを廃棄する。一方、コントローラ７は、受信信号が通信機３０宛てに送信されたと判断した場合、受信した通信フレームＦを順次処理するように制御を行う。
【００５５】
そして、受信信号のデータ部Ｄに含まれるデータのうち、音声フレームに含まれる音声データは音声Ａ／Ｄ・Ｄ／Ａ変換部５に入力され、データフレームに含まれるデータ通信用のデータは、インターフェース部６に入力される。
【００５６】
インターフェース部６に入力されたデータ通信用のデータは、コントローラ７の制御の下、インターフェース部６により処理され、外部入出力端子１２に出力される。この外部入出力端子１２に入力されたデータ通信用のデータは、外部入出力端子１２よりパソコン１５に出力される。
【００５７】
音声Ａ／Ｄ・Ｄ／Ａ変換部（音声アナログ／ディジタル・ディジタル／アナログ変換部）５は、音声信号をアナログ信号とディジタル信号間で信号変換を行うアナログ−ディジタル変換機能を備えている。通信機３０が受信機として機能する場合、音声Ａ／Ｄ・Ｄ／Ａ変換部５は、ディジタルの音声信号をアナログの音声信号に変換するアナログ変換機能を有する。
【００５８】
また、音声Ａ／Ｄ・Ｄ／Ａ変換部５は、通信機３０が受信機として機能する場合、アナログ変換するにあたり、ディジタル信号を伸張する伸張機能を有する。そして、音声Ａ／Ｄ・Ｄ／Ａ変換部５は、ディジタルの音声信号が受信部４より入力されると、コントローラ７の制御の下、入力されたディジタルの音声信号を伸張した後、アナログの音声信号に変換する。
【００５９】
音声Ａ／Ｄ・Ｄ／Ａ変換部５によりアナログ信号とされた音声信号は、増幅器８に入力される。増幅器８は、入力された音声信号を増幅し、スピーカ１０に出力する。スピーカ１０は、入力された音声信号に基づき、送信機のユーザの通話音を出力する。
【００６０】
コントローラ７は、前述のごとくＣＰＵ、ＲＯＭ、及びＲＡＭを備えている。そして、コントローラ７が通信機３０を受信機として機能させる制御を行うための制御プログラムは、ＲＯＭに格納されている。
【００６１】
次に、以上に説明した通信機３０が他の通信機と通信を行う無線通信システムについて、図３も参酌しつつ説明する。図３は、通信機３０を含む通信システムを示している。図３に示す通信システムは、通信機３０を含む複数の通信機と、複数の中継局とを含んでいる。図３に示される通信機３１、３２は、通信機３０と同様に構成され、通信機３０と同様の機能を有し、送信機及び受信機として機能する。
【００６２】
図３に示すように、通信機３０、通信機３１は、第一中継局ＲＳ１を介して他の通信機と通信を行う。また、通信機３２は、第二中継局ＲＳ２を介して他の通信機と通信を行う。第一中継局ＲＳ１及び第二中継局ＲＳ２は、中継局ネットワークＲＳＮを構成しており、第一中継局ＲＳ１及び第二中継局ＲＳ２間で信号の送受信が行われる。
【００６３】
また、図３に示すように、通信機３０には、ＩＤ（識別情報）として、ＡＢＣが割り当てられている。通信機３１には、ＩＤとして、ＸＹＺが割り当てられている。通信機３２には、ＩＤとして、ＥＦＧが割り当てられている。また、第一中継局ＲＳ１には、ＩＤとして、ａｂｃが割り当てられている。第二中継局ＲＳ２には、ＩＤとして、ｈｉｊが割り当てられている。
【００６４】
図３に示す無線通信システムにおいて、通信機３０と通信機３１とが通信を行う場合には、第一中継局ＲＳ１を介して行われる。例えば、通信機３０が通信機３１宛てに送信した信号は、第一中継局ＲＳ１により受信され、第一中継局ＲＳ１より通信機３１に送信される。通信機３１より通信機３０宛てに信号を送信する場合についても、同様に第一中継局ＲＳ１を介して行われる。
【００６５】
通信機３０と通信機３２とが通信を行う場合には、第一中継局ＲＳ１及び第二中継局ＲＳ２を介して行われる。例えば、通信機３０が通信機３２宛てに送信した信号は、第一中継局ＲＳ１により受信され、第一中継局ＲＳ１より第二中継局ＲＳ２に送信される。そして、第二中継局ＲＳ２は、受信した信号を、通信機３２に送信する。
【００６６】
また、通信機３２が通信機３０宛てに送信した信号は、第二中継局ＲＳ２により受信され、第二中継局ＲＳ２より第一中継局ＲＳ１に送信される。そして、第一中継局ＲＳ１は、受信した信号を、通信機３０に送信する。
【００６７】
次に、以上に説明した通信機３０の動作の例について、図４、図５も参酌しつつ説明する。以下の動作の説明では、通信機３０が通信機３１と通信を行う場合について説明する。
【００６８】
通信機３０のユーザが操作部１７を操作し、通信機３１と通信を開始するための操作を行う。まず、ユーザは、操作部１７を操作し、自局側である通信機３０側を特定するための自局側識別情報、及び相手局側である受信機側を特定するための相手局側識別情報の入力を行う。
【００６９】
ユーザが操作部１７により前記識別情報を入力するための所要の操作を行うと、ユーザに対して前記識別情報の入力を促すメッセージがモニタ画面１８ａに表示される。
【００７０】
モニタ画面１８ａには、図４（ａ）に示すように、通信機３０を特定する識別情報である自局ＩＤの問い合わせが表示される（図４（ａ）、「自局ＩＤ」）。ユーザがこの表示に対応して、通信機３０に割り当てられたＩＤ「ＡＢＣ」を入力すると、図４（ａ）に示すように、入力されたＩＤがモニタ画面１８ａに表示される（図４（ａ）、「ＡＢＣ」）。
【００７１】
次に、図４（ｂ）に示すように、通信機３０の中継局を特定する識別情報である自局側中継局ＩＤの問い合わせがモニタ画面１８ａに表示される（図４（ｂ）、「自局側中継局ＩＤ」）。ユーザがこの表示に対応して、通信機３０の中継局である第一中継局ＲＳ１に割り当てられたＩＤ「ａｂｃ」を入力すると、図４（ｂ）に示すように、入力されたＩＤがモニタ画面１８ａに表示される（図４（ｂ）、「ａｂｃ」）。
【００７２】
次に、図４（ｃ）に示すように、通信しようとする相手局を特定する識別情報である相手局ＩＤの問い合わせが表示される（図４（ｃ）、「相手局ＩＤ」）。ユーザがこの表示に対応して、通信しようとする相手方の通信機３１に割り当てられたＩＤ「ＸＹＺ」を入力すると、図４（ｃ）に示すように、入力されたＩＤがモニタ画面１８ａに表示される（図４（ｃ）、「ＸＹＺ」）。
【００７３】
次に、図４（ｄ）に示すように、通信機３１の中継局を特定する識別情報である相手局側中継局ＩＤの問い合わせが表示される（図４（ｄ）、「相手局側中継局ＩＤ」）。ユーザは、この表示に対して、通信機３１の中継局である第一中継局に割り当てられたＩＤを入力せず、識別情報の入力を終了する操作を行う。
【００７４】
ユーザが以上の識別情報の入力を終了すると、コントローラ７により通信フレームＦのヘッダ部Ｈが生成され、ヘッダ部Ｈが通信機３１に送信される。通信機３１が、ヘッダ部Ｈを受信し、ヘッダ部Ｈの各データを処理すると、通信機３０と通信機３１間での通信が確立される。この状態で、通信機３０のユーザは、マイク９を介して入力した通話音の音声、及びパソコン１５より出力されたデータを通信機３１に送信することができる。
【００７５】
次に、以上の識別情報の入力に基づき通信機３０が生成した通信フレームＦのヘッダ部Ｈのデータについて、図５により説明する。図５には、通信機３０が生成した通信フレームＦのヘッダ部Ｈについて、識別情報（ＩＤ）部に挿入されたデータのみ示している。
【００７６】
図５に示すように、ヘッダ部Ｈの識別情報（ＩＤ）部には、送り先中継局ＩＤとして「ａｂｃ」が挿入され、送り元中継局ＩＤとして「ａｂｃ」が挿入されている。また、相手局ＩＤとして「ＸＹＺ」が挿入され、自局ＩＤとして「ＡＢＣ」が挿入されている。
【００７７】
以上に説明したように、相手局側識別情報を入力するにあたり、図４（ｄ）に示すように、相手局側中継局の入力を省略した。これに対して、通信フレームＦのヘッダ部Ｈには、相手局側中継局（送り先中継局）を特定する識別情報「ａｂｃ」が挿入されている。
【００７８】
即ち、通信機３０では、相手局側識別情報を入力するにあたり、相手局側中継局の入力を省略すると、相手局側中継局は自局側中継局と同一の中継局として処理される。そして、通信フレームＦのヘッダ部Ｈを生成するにあたり、相手局側中継局識別情報として、自局側中継局識別情報と同一の識別情報が挿入される。
【００７９】
このように、通信機３０によると、中継局を同じくする通信機３１と通信を行う場合、相手局側中継局識別情報の入力を省略することができる。即ち、通信機３０によると、同じ中継局に属する通信機３１と通信を行う場合に、ユーザが識別情報を入力する操作を簡潔にすることができる。
【００８０】
以上に説明した通信機３０にあっては、送信する信号をＧＭＳＫ変調方式により変調するとして説明した。本発明を実施するにあたり、他の変調方式を採用することもできる。本発明を実施するための通信機が採用する変調方式として、ＱＰＳＫ変調方式やその他の変調方式を採用することもできる。
【００８１】
また、以上の説明では、パソコン１５より通信機３０に取り込んだデータをデータフレームにより送信する例を挙げた。本発明を実施するにあたり、パソコン以外の他の装置より出力されたディジタルデータを送信機に取り込み、このデータをデータフレームに挿入して送信することもできる。例えば、本発明に係る送信機により、ＧＰＳ（Global Positioning System）のデータを取り込み、このデータをデータフレームに挿入して送信することもできる。
【図面の簡単な説明】
【００８２】
【図１】本発明の一実施形態の送信機として機能する通信機のブロック図である。
【図２】通信機が送信する信号の通信フレームを示す図である。
【図３】通信機が通信を行う通信システムの概略構成を示す図である。
【図４】自局を特定するための識別情報、相手局を特定するための識別情報の入力を説明する図である。
【図５】通信機が送信する通信フレームを示す図である。
【符号の説明】
【００８３】
１    アンテナ
２    送受信切替部
３    送信部
４    受信部
５    音声Ａ／Ｄ・Ｄ／Ａ変換部
６    インターフェース部
７    コントローラ
８    増幅器
９    マイク
１０    スピーカ
１２    外部入出力端子
１５    データ通信用パソコン
１７    操作部
１８    モニタ
１８ａ  モニタ画面
３０、３１、３２    通信機
【図１】
2006157647.tif 000003
【図２】
2006157647.tif 000004
【図３】
2006157647.tif 000005
【図４】
2006157647.tif 000006
【図５】
2006157647.tif 000007